(57)【要約】【課題】ユリカゴ式回転テーブルの回転駆動装置側、あるいは回転軸支持装置側のセンターハイトをスペーサにて調整可能として、単体用の回転駆動装置と、ユリカゴ式回転テーブルの回転駆動装置の共通化を可能にする工作機械の回転テーブルを提供する。【解決手段】工作機械のユリカゴ式回転テーブル１は、ワーク（図示せず）を設置する治具プレート３０、治具プレート３０を回転させる第１回転駆動装置１０、第１回転駆動装置１０に対向した位置に設けられ治具プレート３０を支持する回転軸支持装置２０、第１回転駆動装置１０および回転軸支持装置２０を載置するベースプレート３１を備え、第１回転駆動装置１０の回転軸のセンターハイト５ｂと回転支持装置の回転軸のセンターハイト５ｃを等しくするため、第１回転駆動装置１０とベースプレート３１との間に板状のスペーサ１５を挿入して、第１回転駆動装置１０の回転軸のセンターハイト５ｂを調整している。  【選択図】図１
0003183365.tif 000002
【実用新案登録請求の範囲】
【請求項１】
ワークを設置する治具プレート、該治具プレートを回転させる回転駆動装置、該回転駆動装置に対向した位置に設けられ前記治具プレートを支持する回転軸支持装置、前記回転駆動装置および前記回転軸支持装置を載置するベースプレートを備えた工作機械の回転テーブルにおいて、
前記回転駆動装置または前記回転軸支持装置と、前記ベースプレートとの間に、スペーサを挿入したことを特徴とする工作機械の回転テーブル。
【請求項２】
ワークを設置する治具プレート、該治具プレートの両側に対向するように配置され該治具プレートを同期して回転させる第１回転駆動装置と第２回転駆動装置と、前記第１，第２回転駆動装置を載置するベースプレートを備えた工作機械の回転テーブルにおいて、
前記第１回転駆動装置または前記第２回転駆動装置と、前記ベースプレートとの間に、スペーサを挿入したことを特徴とする工作機械の回転テーブル。
【考案の詳細な説明】
【技術分野】
【０００１】
本考案は、工作機械の回転テーブルに関する。
【背景技術】
【０００２】
工作機械に用いられる回転テーブルには、回転駆動装置を単体で使用する回転テーブル（図３参照）と、治具プレートを回転駆動装置と回転軸支持装置とで回転させるいわゆる「ユリカゴ式」の回転テーブルがある。図３に示される回転テーブルは、位置検出装置１１を備えた第１回転駆動装置１０によって構成され、回転軸１２の高さがセンターハイト５ａに製作されている。工作機械のテーブル３３にボルト１３で固定される。ユリカゴ式回転テーブルは、ワークを設置する治具プレート、該治具プレートを回転させる回転駆動装置、該回転駆動装置に対向した位置に設けられ該治具プレート支持する回転軸支持装置、該回転駆動装置と該回転軸支持装置の両者を載置するベースプレート、を備えている。
【考案の概要】
【考案が解決しようとする課題】
【０００３】
ユリカゴ式回転テーブルでは、回転駆動装置側と回転軸支持装置側の設置面からの軸の高さ（センターハイト）を合わせる必要がある。その為、回転駆動装置側と回転軸支持装置側のケースを高精度に加工する必要があった。高精度の加工が必要な為、加工時に工数を要する。
【０００４】
ユリカゴ式回転テーブルの回転駆動装置には、単体で使用する回転テーブルの回転駆動装置を使用する場合が多い。ユリカゴ式回転テーブルでは、前述したように回転駆動装置を回転軸支持装置のセンターハイトと合わせる必要がある。回転軸支持装置のセンターハイトと同一のセンターハイトを持つ回転駆動装置を用意すれば良いが、一般的には、回転軸支持装置のセンターハイトに合ったセンターハイトを有する回転駆動装置を用意するのは難しく、回転駆動装置のセンターハイトを回転支持装置のセンターハイトに合わせる特別な加工が必要となる。そうすると、単体用の回転駆動装置をユリカゴ式回転テーブルの回転駆動装置にそのまま流用することが出来なくなる。
【０００５】
そこで本考案の目的は、上記従来技術の問題点に鑑み、ユリカゴ式回転テーブルの回転駆動装置側、あるいは回転軸支持装置側のセンターハイトをスペーサにて調整可能として、単体用の回転駆動装置と、ユリカゴ式回転テーブルの回転駆動装置の共通化を可能にする工作機械の回転テーブルを提供することである。
【課題を解決するための手段】
【０００６】
本願の請求項１に係る考案は、ワークを設置する治具プレート、該治具プレートを回転させる回転駆動装置、該回転駆動装置に対向した位置に設けられ前記治具プレートを支持する回転軸支持装置、前記回転駆動装置および前記回転軸支持装置を載置するベースプレートを備えた工作機械の回転テーブルにおいて、前記回転駆動装置または前記回転軸支持装置と、前記ベースプレートとの間に、スペーサを挿入したことを特徴とする工作機械の回転テーブルである。  
請求項２に係る考案は、ワークを設置する治具プレート、該治具プレートの両側に対向するように配置され該治具プレートを同期して回転させる第１回転駆動装置と第２回転駆動装置と、前記第１，第２回転駆動装置を載置するベースプレートを備えた工作機械の回転テーブルにおいて、前記第１回転駆動装置または前記第２回転駆動装置と、前記ベースプレートとの間に、スペーサを挿入したことを特徴とする工作機械の回転テーブルである。
【考案の効果】
【０００７】
本考案により、ユリカゴ式回転テーブルの回転駆動装置側、あるいは回転軸支持装置側のセンターハイトをスペーサにて調整可能として、単体用の回転駆動装置と、ユリカゴ式回転テーブルの回転駆動装置の共通化を可能にする工作機械の回転テーブルを提供できる。
【図面の簡単な説明】
【０００８】
【図１】工作機械のユリカゴ式回転テーブルを説明する図である（実施形態１）。
【図２】工作機械のユリカゴ式回転テーブルを説明する図である（実施形態２）。
【図３】回転駆動装置を単体で使用する工作機械の回転テーブルを説明する図である。
【考案を実施するための形態】
【０００９】
以下、本考案について図を参照して説明する。なお、従来技術、各実施形態に共通する要素または類似する要素は同じ符号を用いて説明する。  
＜実施形態１＞
ユリカゴ式回転テーブル１は、ワーク（図示せず）を設置する治具プレート３０、治具プレート３０を回転させる第１回転駆動装置１０、第１回転駆動装置１０に対向した位置に設けられ治具プレート３０を支持する回転軸支持装置２０、第１回転駆動装置１０および回転軸支持装置２０を載置するベースプレート３１を備えている。第１回転駆動装置１０はその回転位置を検出する位置検出装置１１が取り付けられている。第１回転駆動装置１０は回転軸に連結され治具プレート３０の一端を支持するブラケット１４を備えている。回転軸支持装置２０は、回転軸支持装置の回転軸に連結され、治具プレート３０の他端を支持するブラケット２４を備えている。
【００１０】
第１回転駆動装置１０とベースプレート３１との間に、板状のスペーサ１５が挿入されている。第１回転駆動装置１０は、スペーサ１５を、ベースプレート３１との間に挟んで、ボルト１３によってベースプレート３１に固定されている。回転軸支持装置２０は、ボルト２３によってベースプレート３１に固定されている。ベースプレート３１はボルト（図示せず）により、工作機械のテーブル３３に固定されている。
【００１１】
スペーサ１５を用いて、第１回転駆動装置１０の回転軸のセンターハイト５ａを調整することで、第１回転駆動装置１０の回転軸のセンターハイト５ｂと回転軸支持装置２０の回転軸のセンターハイト５ｃを等しくすることができる。これによって、第１回転駆動装置１０と回転軸支持装置２０の回転軸が同軸上に並んだ共通の回転軸３２を回転中心として、治具プレート３０を回転させることができる。なお、第１回転駆動装置１０側に替えて、スペーサ１５を回転軸支持装置２０とベースプレート３１との間に挿入して固定してもよい。
【００１２】
本実施形態により、ユリカゴ式回転テーブルの回転駆動装置側、あるいは回転軸支持装置側のセンターハイトをスペーサにて調整可能として、単体用の回転駆動装置と、ユリカゴ式回転テーブルの回転駆動装置の共通化できる。
【００１３】
＜実施形態２＞
ユリカゴ式回転テーブル２は、ワーク（図示せず）を設置する治具プレート３０、治具プレート３０の両側に対向するように配置され治具プレート３０を同期して回転させる第１回転駆動装置と第２回転駆動装置と、前記第１，第２回転駆動装置を載置するベースプレート３１を備えている。
【００１４】
第１回転駆動装置１０はその回転位置を検出する位置検出装置１１が取り付けられている。第１回転駆動装置１０は回転軸に連結され治具プレート３０の一端を支持するブラケット１４を備えている。第２回転駆動装置４０は、第２回転駆動装置４０の回転軸に連結され、治具プレート３０の他端を支持するブラケット４４を備えている。
【００１５】
第１回転駆動装置１０とベースプレート３１との間に、板状のスペーサ１５が挿入されている。第１回転駆動装置１０は、スペーサ１５を、ベースプレート３１との間に挟んで、ボルト１３によってベースプレート３１に固定されている。第２回転駆動装置４０は、ボルト４３によってベースプレート３１に固定されている。ベースプレート３１はボルト（図示せず）により、工作機械のテーブル３３に固定されている。
【００１６】
スペーサ１５を用いて、第１回転駆動装置１０の回転軸のセンターハイト５ａを調整することで、第１回転駆動装置１０の回転軸のセンターハイト５ｄと第２回転駆動装置４０の回転軸のセンターハイト５ｅを等しくすることができる。これによって、第１回転駆動装置１０と第２回転駆動装置４０の回転軸が同軸上に並んだ共通の回転軸３２を回転中心として、治具プレート３０を回転させることができる。なお、第１回転駆動装置１０側に替えて、スペーサ１５を第２回転駆動装置４０とベースプレート３１との間に挿入して固定してもよい。
【００１７】
本実施形態により、ユリカゴ式回転テーブルの異なる２台の回転駆動装置のセンターハイトをスペーサにて調整可能として、ユリカゴ式回転テーブルの回転駆動装置として共通に使用できる。
【符号の説明】
【００１８】
１  ユリカゴ式回転テーブル
２  ユリカゴ式回転テーブル
５ａ，５ｂ，５ｃ，５ｄ，５ｅ  センターハイト
１０  第１回転駆動装置
１１  位置検出装置
１２  回転軸
１３  ボルト
１４  ブラケット
１５  スペーサ
２０  回転軸支持装置
２３  ボルト
２４  ブラケット
３０  治具プレート
３１  ベースプレート
３２  回転軸
３３  工作機械のテーブル
４０  第２回転駆動装置
４１  位置検出装置
４３  ボルト
【図１】
0003183365.tif 000003
【図２】
0003183365.tif 000004
【図３】
0003183365.tif 000005